(57)【特許請求の範囲】
【請求項１】
羽根車ハブの外周側に間隔をおいて設けられた複数の羽根車翼が各翼ごとに設定された翼旋回軸の回りに回動可能である可動翼軸流ポンプにおいて、前記羽根車翼の内径端形状を円弧形状とし、前記羽根車ハブの外周面の子午面形状が、前記羽根車翼の内径端円弧の中心位置と同じ中心位置で羽根車ハブの子午面形状を円弧で形成したときの円弧の曲率よりも小さい曲率の曲線形状であることを特徴とする可動翼軸流ポンプ。
【請求項２】
羽根車ハブの外周側に間隔をおいて設けられた複数の羽根車翼が各翼ごとに設定された翼旋回軸の回りに回動可能である可動翼軸流ポンプにおいて、前記羽根車ハブの下流側に周方向に間隔をおいて配置された複数の案内羽根を有する案内羽根ハブを配置し、前記案内羽根が位置する部分の前記案内羽根ハブの外径は、前記羽根車ハブの最小外径よりも大きく、羽根車ハブの最大外径よりも小さく形成されていることを特徴とする可動翼軸流ポンプ。
【請求項３】
前記羽根車ハブの外径が、上流端で下流端よりも小さいことを特徴とする請求項１または２に記載の可動翼軸流ポンプ。
【請求項４】
前記案内羽根ハブの案内羽根取付け部の外径が、前記羽根車ハブの下流端の外径より大きいことを特徴とする請求項１または２に記載の可動翼軸流ポンプ。
【請求項５】
前記案内羽根ハブの外径を、羽根車ハブの下流端の外径より流れ方向に徐々に大きくして縮流量域を設けたことを特徴とする請求項４に記載の可動翼軸流ポンプ。
【請求項６】
前記案内羽根の外径端が取り付けられるほぼ円筒状のケーシングを有し、このケーシングの前記羽根車翼に対向する内周面の子午面断面形状と羽根車翼の外径端の形状を同心円形状としたことを特徴とする請求項１または２に記載の可動翼軸流ポンプ。
【発明の詳細な説明】
【技術分野】
【０００１】
本発明は軸流型のポンプに係り、特に可動翼軸流ポンプに関する。
【背景技術】
【０００２】
従来の可動翼軸流ポンプの例が、特許文献１に記載されている。この公報に記載のポンプでは、その図１に示されるように、羽根車ハブに翼軸が嵌合し、翼軸の中心線を回動中心として、羽根車翼が回動可能に構成されている。そして、羽根車翼のハブ側である流路内径側は、球面状に形成された部材に一体となっており、この部材からはみ出る部分では、翼部を一部外径方向にカットしている。一方、羽根車翼のチップ側である流路外径側では、ポンプケーシングおよび吸込みケーシングを球面状に形成し、これらケーシングと僅かな隙間を形成するように、羽根車翼のチップを球面または断面円形状に形成して、羽根車翼の円滑な回動を可能にしている。
【０００３】
従来の可動翼軸流ポンプの他の例が、特許文献２に記載されている。この公報に記載のポンプは特許文献１と同様に、球面状に形成された基材にインペラの内径側が一体になっている。ただし特許文献１に記載の羽根車翼とは異なり、基材からはみ出た部分を断面円形状にし、基材が嵌合するインペラハブを球面状に形成している。そして、インペラとインペラハブとの間に僅かな隙間を形成し、インペラの円滑な回動を可能にしている。これらいずれのポンプにおいても、羽根車翼またはインペラを回動させたので、小水量域から大水量域まで効率の良いポンプ運転が可能となっている。
【０００４】
【特許文献１】特開平７-２３８８９９号公報
【特許文献２】特開昭５８-１９７４９９号公報
【発明の開示】
【発明が解決しようとする課題】
【０００５】
上記特許文献１および２に記載の羽根車翼およびインペラでは、ハブ面とチップ面をハブやケーシングと同心球面に形成して、羽根車翼およびインペラをその軸心回りに回動可能にしている。しかしながら、チップ側に比べて曲率の大きい球面に形成されるハブ側では、羽根車翼やインペラを流過する際に、流れがハブ面からはく離するおそれがある。
【０００６】
流れが翼面からはく離すると、ハブ面とチップ面が軸方向断面で直線となる固定翼軸流ポンプに比べて、羽根車翼やインペラのハブ側での損失が増大し、可動翼軸流ポンプの性能低下を引き起こす。このように、従来の可動翼軸流ポンプでは、ポンプ効率の低下を許容しながら、安定作動範囲の増大を図っていた。
【０００７】
本発明は上記従来技術の不具合に鑑みなされたものであり、その目的は、可動翼軸流ポンプにおいて、ポンプ効率の向上と安定作動範囲の増大を図ることにある。本発明の他の目的は、可動翼の可動性を損なわずに可動翼での流れのはく離を抑制することにある。また、可動翼部での損失を低減して、可動翼ポンプのエネルギー消費を低減することにある。そして、これら目的の少なくともいずれかを、達成することを目的とする。
【課題を解決するための手段】
【０００８】
上記目的を達成する本発明の特徴は、羽根車ハブの外周側に間隔をおいて設けられた複数の羽根車翼が各翼ごとに設定された翼旋回軸の回りに回動可能である可動翼軸流ポンプにおいて、羽根車翼の内径端形状を円弧形状とし、羽根車ハブの外周面の子午面形状が、羽根車翼の内径端円弧の中心位置と同じ中心位置で羽根車ハブの子午面形状を円弧で形成したときの円弧の曲率よりも小さい曲率の曲線形状としたことにある。
【０００９】
上記目的を達成する本発明の他の特徴は、羽根車ハブの外周側に間隔をおいて設けられた複数の羽根車翼が各翼ごとに設定された翼旋回軸の回りに回動可能である可動翼軸流ポンプにおいて、羽根車ハブの下流側に周方向に間隔をおいて配置された複数の案内羽根を有する案内羽根ハブを配置し、案内羽根が位置する部分の案内羽根ハブの外径は、羽根車ハブの最小外径よりも大きく、羽根車ハブの最大外径よりも小さく形成したことにある。
【００１０】
そしてこれらの特徴において、羽根車ハブの外径が、上流端で下流端よりも小さいのがよく、案内羽根ハブの案内羽根取付け部の外径が、前記羽根車ハブの下流端の外径より大きいことが好ましい。また、案内羽根ハブの外径を、羽根車ハブの下流端の外径より流れ方向に徐々に大きくして縮流量域を設けるのがよく、案内羽根の外径端が取り付けられるほぼ円筒状のケーシングを有し、このケーシングの羽根車翼に対向する内周面の子午面断面形状と羽根車翼の外径端の形状を同心円形状とするのがよい。
【発明の効果】
【００１１】
本発明によれば、可動翼軸流ポンプにおいて、内径側に位置するハブの外形曲率を翼のハブ側の曲率よりも大きくしたので、ハブ側での流れの翼面からのはく離を抑制でき、ポンプ効率の向上と安定作動範囲を増大できる。また、可動翼の可動性を損なわずに可動翼での流れのはく離を抑制できる。さらに、可動翼部での損失が低減するので、可動翼ポンプのエネルギー消費も低減する。
【発明を実施するための最良の形態】
【００１２】
以下、図面を用いて、本発明に係る可動翼軸流ポンプのいくつかの実施例を説明する。図１に、可動翼軸流ポンプ１００の一実施例を、子午面断面図で示す。円筒状に形成されたケーシング１０内に、筒状の内筒部１１が収容されている。内筒部１１は、案内羽根３により、ケーシング１０に保持される。
【００１３】
内筒部１１は、流れの上流側端部に鈍頭形状の前面カバー１２を有している。前面カバー１２に続く軸方向下流側には、羽根車ハブ２が配置されており、羽根車ハブ２の軸方向下流側には外径一定の円筒部４ａと外径がなだらかに減少するすぼまり部４ｂとを有する案内羽根ハブ４が配置されている。案内羽根３は、内径側を円筒部４ａの外表面に固定されており、外径側をケーシング１０の内壁に固定されている。案内羽根３は複数枚、例えば３枚あり、周方向にほぼ等ピッチで配置されている。
【００１４】
内筒部１１の中で、羽根車ハブ２は回動可能であり、この羽根車ハブ２に接続された主軸５が案内羽根ハブ４の後端から突き出ている。この主軸５には、図示を省略したが、羽根車ハブ２を駆動する原動機であるモータが接続されている。羽根車ハブ２の外周側であって、周方向複数箇所には、羽根車翼１が取り付けられている。この羽根車翼１は、内筒部１１の軸方向に直角方向、すなわち軸流ポンプ１００の半径方向軸線（翼旋回軸）６の回りに回動可能である。
【００１５】
可動翼軸流ポンプ１００の子午面断面における羽根車ハブ２の外径は円弧状であり、円弧の半径はＲ５である。Ｒ５の円弧の中心は、翼旋回軸６上にあり、軸流ポンプ１００の中心軸１３との交点よりも羽根車翼１の反対側に、延在している。羽根車ハブ２は、上流側端部における外径が前部カバー１２の後端部の外径とほぼ同じであり、羽根車ハブ２の下流側端部における外径は、案内羽根ハブ４の前端部外径とほぼ同じである。したがって、羽根車ハブ２は、翼旋回軸６部が最も流路に突き出た形状となっている。
【００１６】
羽根車ハブ２に取り付けられた羽根車翼１では、羽根車ハブ２側である内径端側で、この羽根車翼１を回動させる回動軸１４が僅かに流路に露出している。回動軸１４の露出部よりも外径側に、羽根車翼１の内径側端部が位置している。ここで、羽根車翼１の内径側端部も半径Ｒ６の円弧状をしており、翼旋回軸６上にその中心を有している。羽根車翼１の内径端の円弧径Ｒ６は、羽根車ハブ２の外周半径Ｒ５よりも大きい。
【００１７】
羽根車翼１の外径側端部も円弧状に形成されており、その円弧の中心は翼旋回軸６と軸流ポンプ１００の中心軸との交点である。この円弧の半径は、Ｒ４である。ケーシング１０は、翼旋回軸６と軸流ポンプ１００の中心軸１３との交点を中心とする半径Ｒ３の円弧で、その内周面が切削された形状となっている。ここで、羽根車翼１の外径端の円弧径Ｒ４は、ケーシング１０の内周形成円弧の半径Ｒ５よりも僅かに小径である。なお、羽根車翼１の軸方向長さは内径端側が外径端側よりも長く、羽根車翼１は子午面形状が擬似台形となっている。
【００１８】
このように構成した本実施例の軸流ポンプ１００では、羽根車翼１を翼旋回軸６の回りに回動可能とするために、羽根車翼１の内径端の曲率Ｒ６を、羽根車ハブ２の外径面の曲率Ｒ５よりも大きくしているので、羽根車翼１の後部または後方で、流れ８を制御して、円筒部１１の外周面形状に沿わずにはく離することを防止できる。したがって、羽根車翼１の出口の内径側（ハブ側）に、流れのはく離により羽根車翼１が十分な仕事をしていなかった領域が形成されるのを回避できる。この流れの改善により、羽根車翼１の上流側（入口）から下流側（出口）に至る全域で、羽根車翼１が十分な仕事をするようになる。
【００１９】
すなわち、本実施例によれば、より効率良く水にエネルギーを与えることが可能となり、軸流ポンプの効率が向上する。また、羽根車翼１の下流側で発生するはく離が流れを乱して、案内羽根３に悪影響を与える恐れがあったが、流れの乱れを防止したのでこの悪影響を防止できる。さらに、案内羽根３のハブ側における損失も低減される。これにより、可動翼軸流ポンプ１００のエネルギー消費を低減できる。
【００２０】
上記実施例においては、羽根車翼１の根本側と羽根車ハブ２の外周とをともに円弧状に形成し、かつ、羽根車翼１の根本側のＲの中心と、羽根車ハブ２の外周のＲの中心位置とを変えている。しかしながら、羽根車ハブの外周形状はこれに限るものではなく、羽根車翼１の根本側のＲより曲率の小さい球面または楕円球面、これら球面を近似するような自由曲面としてもよい。
【００２１】
ただし、上記自由曲面とした場合には、可動翼軸流ポンプとしての機能である羽根車翼２の可動性を保持するために、羽根車翼１の根本側の曲率を、対向する羽根車ハブ２の曲率よりも大きくしなければならない。羽根車翼１を通過する流れが、ハブ側で羽根車ハブ２の外周面に沿わないで流れて、はく離していた領域の流れ７を、羽根車ハブ２の外周面に沿う流れとすることが可能になる。
【００２２】
これにより、羽根車翼１の出口側であってハブ側の流れが改善され、羽根車翼１の入口から出口に至る全域で、羽根車の回転動力が効率的に作動流体である水に付与され、可動翼軸流ポンプの効率が向上する。さらに、従来は羽根車翼１を通過した流れ中にはく離により乱れ７が生じることがあったが、この乱れ７を防止または低減できるので、羽根車翼１の下流側に配置される案内羽根３に乱れ７の影響が及ぶのを回避できる。したがって、案内羽根３のハブ側における損失も低減し、可動翼軸流ポンプのエネルギー消費が小さくなる。
【００２３】
上記実施例では、羽根車翼１のチップ側をＲ４の円弧加工し、ケーシング１０の内周面もＲ３の円弧加工しているが、ハブ側と同様に曲率の小さな自由曲面としてもよい。羽根車翼１のチップ側の形状を、同心球面から曲率の小さい自由曲面にすると、羽根車翼１を通過する流れを、チップ側で従来よりも直線に近い流れとすることができる。なお、羽根車翼１を旋回軸６回りに回転させて向きを変えた場合、羽根車翼１のチップが同心球面ではないので、羽根車翼１のチップとこのチップに対向するケーシング１０の内周面間の隙間が変化する。
【００２４】
羽根車翼１のチップ側の隙間を広げると、漏れ流れが増大する。そのため、曲率を小さくして得られる損失の低減以上に、可動翼軸流ポンプの効率が低下する場合も生じる。羽根車翼１のチップの位置は、羽根車翼１の最大外径位置であり、主軸５を回転させたときの周方向速度が最大となる位置である。チップの位置で周速が最大となることから、羽根車翼１の２つの表面である圧力面と負圧面との圧力差もチップ位置で最大かそれに近くなる。
【００２５】
したがって、羽根車翼１のハブ側における漏れ流れよりも可動翼軸流ポンプの効率に対する影響が大きくなる。このことから、曲率の大きい自由曲面を羽根車翼１のハブ面に採用するときは、隙間での漏れ流れによる損失の増加を考慮して、羽根車翼１およびケーシング１０の内周面の曲率等を決定する。
【００２６】
本発明の他の実施例を、図２を用いて説明する。図２は、可動翼軸流ポンプの子午面断面図である。本実施例が上記実施例と相違するのは、羽根車翼１のハブ側形状および羽根車ハブ２の外周面形状を、同心球面としたことにある。羽根車ハブ２の外周は軸方向にＲ１の円弧面で形成されており、羽根車翼１のハブ面はＲ２の円弧面で形成されている。羽根車翼１は、翼旋回軸６を中心に回転可能である。
【００２７】
本実施例では、上記特徴に加えて、羽根車ハブ２の外周径を、羽根車翼１が配置されている位置よりも上流側でＤ１に、下流側でＤ３としている。そして、径Ｄ３を径Ｄ１よりも大きくしている。本実施例によれば、上記実施例と同様に、羽根車翼１を通過した流れがハブ側でも羽根車ハブ２の外周面に沿って流れるようになり、はく離による流れの損失を回避できる。これにより、可動翼軸流ポンプのエネルギー消費を低減できる。
【００２８】
図３および図４を用いて、本発明に係る可動翼軸流ポンプのさらに他の実施例を説明する。これらの図は、可動翼軸流ポンプの子午面断面図である。ポンプの運転範囲が、小水量域から大流量域まで、より広い範囲で運転されるポンプに適している。
【００２９】
上記各実施例に示したポンプを用いて作動範囲を広げるためには、羽根車翼１を翼旋回軸６回りに大旋回させる必要がある。その際、羽根車翼１のハブ面と羽根車ハブ２の外周面との隙間を大きくしないと、羽根車翼１のハブが羽根車ハブ２に干渉する。その結果、羽根車翼１のチップ側ほどではないが、羽根車翼１のハブ側でも、隙間が増大すると漏れ流れが増大し、可動翼軸流ポンプの損失が増加する。
【００３０】
この不具合を解消するために、本実施例では、羽根車翼１のハブ側の隙間における漏れ流れを低減する形状とした。具体的には、羽根車翼１のハブ側形状を半径Ｒ２の円弧状とし、それに対応する羽根車ハブ２の外周の子午面断面形状を半径Ｒ１（Ｒ１＜Ｒ２）の円弧状とし、半径Ｒ１、Ｒ２の円弧の中心を、主軸５の中心軸線上の同一位置としている。また、当然のことながら、翼旋回軸６回りに羽根車翼１が回動可能である。
【００３１】
羽根車翼１の下流には、周方向にほぼ等ピッチで、複数枚の案内羽根３が配置されている。案内羽根３のハブ径または案内羽根ハブ４の外径は、羽根車ハブ２が羽根車翼１に対向する部分の最小径よりも大径である。すなわち、可動翼軸流ポンプの中心線側に配置される羽根車ハブ２の外径は、羽根車翼２の上流側の直径Ｄ１から流れ方向に徐々に増加し、翼旋回軸６部で最大直径２＊Ｒ１になり、その後徐々に減少して最小直径Ｄ２になる。そして、案内羽根ハブ４の入口側ではＤ２またはＤ２より僅かに大きな外径となり、案内羽根３に対向する部分では２＊Ｒ１よりも小さな直径になっている。
【００３２】
図３に記載した実施例では、案内羽根ハブ４の外径は、流れの上流側で、羽根車ハブ２の最小径Ｄ２よりわずかに大きな径の円筒形であり、案内羽根３を過ぎた部分から徐々に直径が減少している。一方図４に示した実施例では、羽根車ハブ２の下流側の直径Ｄ２とほぼ同じ外径から徐々に案内羽根ハブ４の外径が増大し、案内羽根３部では同一径の円筒形であり、案内羽根３を過ぎると図３に示した実施例同様に、案内羽根ハブ４の外径は徐々に減少する。
【００３３】
このように案内羽根ハブ４の外径を構成すると、図３の実施例の場合には、羽根車翼１を通過する流れがハブ側ではく離を生じて、流れの乱れとなる領域を低減できる。したがって、羽根車翼１の出口側のハブ側で発生したはく離による流れの乱れが、案内羽根３まで及ぶのを回避でき、案内羽根３のハブ側の損失を低減することができる。したがって、可動翼軸流ポンプのエネルギー消費を低減できる。
【００３４】
また、図４に示した実施例では、羽根車翼１から案内羽根３へ水が流れる領域でのエネルギー消費をさらに低減するために、羽根車の下流に設けた案内羽根３のハブ側形状を上記形状として、縮流量域を設けている。羽根車翼１の出口側のハブ側で発生したはく離による流れの乱れ領域をさらに低減することが可能になる。それとともに、羽根車翼１の出口側のハブ側で発生したはく離による流れの乱れが整流され、案内羽根３に流れの乱れが及ぶのを回避できる。
【００３５】
図１に示した実施例における羽根車翼１および羽根車ハブ２に、図４に示した案内羽根３および案内羽根ハブ４を組み合わせて可動翼軸流ポンプを構成した例を、図５に子午面断面で示す。羽根車翼１のハブ面は半径Ｒ５の円弧形であり、羽根車ハブ２の外径の子午面形状は、半径Ｒ６の円弧形である。そして、半径Ｒ５の円と半径Ｒ６の円の中心は、同一位置ではない。なお、羽根車翼１のハブ形状は、円弧の他に楕円形または、それに類似する自由曲面でもよい。
【００３６】
案内羽根ハブ４の入口側の外径は、羽根車ハブ２の出口側の外径Ｄ２とほぼ同じにし、水の流れの方向に次第に大きくなる縮流量域が形成された形状としている。なお、図３に示した実施例のように、案内羽根ハブ４の外径を入口側でほぼ一定の外径とし、この一定径を羽根車ハブ２の最大外径２＊Ｒ１よりも小さくしてもよい。
【００３７】
本実施例によれば、羽根車翼１を過ぎる流れが、ハブ側で羽根車ハブ２外周面形状に沿わずに外径側に流れてはく離していた領域を、低減することができるとともに羽根車翼１を通過する流れの乱れを整流でき、案内羽根まで流れの乱れが及ぶのを回避できる。したがって、可動翼軸流ポンプのエネルギー消費を抑制できる。
【図面の簡単な説明】
【００３８】
【図１】本発明に係る可動翼軸流ポンプの一実施例の子午面形状図。
【図２】本発明に係る可動翼軸流ポンプの他の実施例の子午面形状図。
【図３】本発明に係る可動翼軸流ポンプのさらに他の実施例の子午面形状図。
【図４】図３に示した可動翼軸流ポンプの子午面形状図。
【図５】本発明に係る可動翼軸流ポンプのさらに他の実施例の子午面形状図。
【符号の説明】
【００３９】
１…羽根車翼、２…羽根車ハブ、３…案内羽根、４…案内羽根ハブ、５…主軸、６…翼旋回軸、７、８…羽根車出口側の流れ、１０…ケーシング、Ｒ１…羽根車ハブの子午面を象る円弧径、Ｒ２…羽根車翼のハブ形状を象る円弧径、Ｒ３…羽根車ケーシングの内周を象る円弧径、Ｒ４…羽根車翼のチップを象る円弧径、Ｒ５…羽根車ハブ子午面を象る円弧径、Ｒ６…羽根車翼のハブ形状を象る円弧径、Ｄ１…羽根車ハブの上流側の円筒直径、Ｄ２…羽根車ハブの下流側の円筒直径、Ｄ３…羽根車ハブの下流側の円筒直径。
【図１】
0004882939.tif 000002
【図２】
0004882939.tif 000003
【図３】
0004882939.tif 000004
【図４】
0004882939.tif 000005
【図５】
0004882939.tif 000006